(57)【要約】  ＲＦＩＤをベースとした技術が、中央コンピュータ、読取装置／受信装置、照明システム、製品タグ、パーソナルタグ及び／又は買い物リストを用いる。各製品タグは、集積回路及び製品データ情報を含み、任意にＬＥＤを含む。各パーソナルタグは、集積回路及び個人データ情報を含む。各買い物リストは、回路及び製品購入リストを含む。前記ＲＦＩＤ技術の無線／有線システムが、製品及び人の照明ソリューションを供給するよう適応される。
2008521452.tif 000002
【特許請求の範囲】
【請求項１】
陳列されている製品を照明するための、カラースペクトルの中の１つの色を指示する手段を含む製品タグと、
前記製品タグによって指示される前記１つの色に従って、前記陳列されている製品を照明する手段とを有する無線システム。
【請求項２】
幅広いカラースペクトルを得るために、区別の目安となるアドレス指定方式が用いられる請求項１に記載の無線システム。
【請求項３】
前記陳列されている製品の前記照明が、赤色、緑色及び青色を含む原色のセットをベースとしている請求項１に記載の無線システム。
【請求項４】
陳列されている製品の陳列期間を示す手段を含む製品タグと、
前記製品タグによって示される前記陳列期間に応じて、前記陳列されている製品を照明する手段とを有する無線システム。
【請求項５】
前記製品の前記照明が、前記陳列期間の満了時の光の明滅、及び前記陳列期間の満了時の光の色の変更のうちの少なくとも１つによって達成される請求項４に記載の無線システム。
【請求項６】
前記陳列されている製品の前記照明が、赤色、緑色及び青色を含む原色のセットをベースとしている請求項４に記載の無線システム。
【請求項７】
陳列されている製品の販売促進を示す手段を含む製品タグと、
前記製品タグによって示される前記製品の前記販売促進に応じて、前記陳列されている製品を照明する手段とを有する無線システム。
【請求項８】
前記陳列されている製品と、前記陳列されている製品の周囲の他の製品との間の色のコントラストが、前記陳列されている製品の前記販売促進を示す請求項７に記載の無線システム。
【請求項９】
前記製品の前記照明が、光の明滅、及び光の色の変更のうちの少なくとも１つによって達成される請求項７に記載の無線システム。
【請求項１０】
前記陳列されている製品の前記照明が、赤色、緑色及び青色を含む原色のセットをベースとしている請求項７に記載の無線システム。
【請求項１１】
陳列されている製品の現在の価格を示す手段を含む製品タグと、
前記陳列されている製品の前記現在の価格を更新する手段とを有する無線システム。
【請求項１２】
購入されるべき少なくとも１つの製品を示す手段を含む買い物リストと、    
前記買い物リストによって示される各製品を、前記製品の特定の領域内に前記買い物リストが入るのに応じて、照明する手段とを有する無線システム。
【請求項１３】
前記製品の前記照明が、前記製品の特定の領域内に前記買い物リストが入るのに応じた光の明滅、及び前記製品の特定の領域内に前記買い物リストが入るのに応じた光の色の変更のうちの少なくとも１つによって達成される請求項１２に記載の無線システム。
【請求項１４】
前記買い物リストに載っている製品の前記照明が、赤色、緑色及び青色を含む原色のセットをベースとしている請求項１２に記載の無線システム。
【請求項１５】
パーソナルタグであって、パーソナルタグの所持者にとって関心のある少なくとも１つの製品を示す手段を含むパーソナルタグと、    
前記パーソナルタグによって示される製品を、前記製品の特定の領域内に前記パーソナルタグが入るのに応じて、照明する手段とを有する無線システム。
【請求項１６】
前記製品の前記照明が、前記製品の特定の領域内に前記パーソナルタグが入るのに応じた光の明滅、及び前記製品の特定の領域内に前記パーソナルタグが入るのに応じた前記光の色の変更のうちの少なくとも１つによって達成される請求項１５に記載の無線システム。
【請求項１７】
前記パーソナルタグ上の各製品の前記照明が、赤色、緑色及び青色を含む原色のセットをベースとしている請求項１５に記載の無線システム。
【請求項１８】
パーソナルタグであって、前記パーソナルタグの所持者に応じて、陳列されている製品の照明の好みを示す手段を含むパーソナルタグと、    
前記製品の特定の領域内に前記パーソナルタグが入るのに応じて、前記パーソナルタグによって示されるような前記照明の好みに従って、前記製品を照明する手段とを有する無線システム。
【請求項１９】
各製品の前記照明が、前記製品の特定の領域内に前記パーソナルタグが入るのに応じた光の明滅、及び前記製品の特定の領域内に前記パーソナルタグが入るのに応じた前記光の色の変更のうちの少なくとも１つによって達成される請求項１８に記載の無線システム。
【請求項２０】
前記パーソナルタグ上の各製品の前記照明が、赤色、緑色及び青色を含む原色のセットをベースとしている請求項１８に記載の無線システム。
【発明の詳細な説明】
【技術分野】
【０００１】
本発明は、広くは、無線技術に関する。本発明は、詳細には、製品及び人の照明ソリューション(product and people lighting solutions)において実施されるようなＲＦＩＤ(radio frequency identification)技術に関する。
【背景技術】
【０００２】
本発明の譲受け人は、１つ以上の集積回路（ＩＣ）を持つ非接触デュアルインタフェースＲＦＩＤスマートカードをベースとすることが出来るＭＩＦＡＲＥ（登録商標）技術の製造業者及び発明者である。各ＲＦＩＤスマートカードは、その個々のスマートカードに記憶された情報を、目に見える接触なしに、ＲＦＩＤ読取装置によって読み取ることを可能にする。例えば、ＲＦＩＤスマートカードが取り付けられている製品を運ぶ手押し車を押すことで、人が各製品の購入価格に何らかの目に見える接触をしなくても、ＲＦＩＤ読取装置によって製品の総額を検出することを容易にする。
【発明の開示】
【発明が解決しようとする課題】
【０００３】
照明業界は、無線技術を組み込んで、もっともっと多くの製品及び／又は人に関連した照明ソリューションを容易にしようと絶えず努力している。
【課題を解決するための手段】
【０００４】
この目的のため、本発明は、製品及び人に関連した照明ソリューションへの無線技術（例えば、ＭＩＦＡＲＥ（登録商標）技術）の新しい、ユニークな適用を提供する。
【０００５】
本発明の形態、特徴及び利点は、添付図面と共に読まれる、以下の、現在好ましい実施例の詳細な説明から、更に明らかになるであろう。詳細な説明及び図面は、本発明の単なる一例にすぎず、本発明を限定するものではなく、本発明の範囲は、添付されている特許請求の範囲及びその同等物によって規定される。
【発明を実施するための最良の形態】
【０００６】
本発明による各製品及び人の照明ソリューションは、図１に図示されているような構成要素の集まりから選択される、ＲＦＩＤをベースとした技術（例えばＭＩＦＡＲＥ（登録商標）技術）の構成要素の特定のグループを組み込む。図１に関しては、この集まりは、中央コンピュータ（ＣＣ）１０と、読取装置／受信装置（ＲＤ／ＲＸ）１１と、照明システム（ＬＳ）１２と、製品タグ(product tag)（ＰＤＴ）２０と、パーソナルタグ（ＰＥＴ）３０と、買い物リスト（ＳＬ）４０とを含む。製品タグ２０は、集積回路（ＩＣ）２１と、製品データ情報（ＰＤＩ）２２とを含むＲＦＩＤスマートカードであり、任意に、ＬＥＤ２３を含む。パーソナルタグ３０は、集積回路（ＩＣ）３１と、個人データ情報（ＰＥＩ）３２とを含むＲＦＩＤスマートカードである。買い物リストは、集積回路（ＩＣ）４１と、製品購入リスト（ＰＳＬ）４２とを含むＲＦＩＤスマートカードである。
【０００７】
本発明は、幾つかの製品／人の照明ソリューションを実施するのに、読取装置／受信装置１１によって容易にされるような構成要素の間の従来の無線／有線通信を利用する。この目的のため、１つ以上の読取装置１１と、スマートカードのうちの１つ以上とが、本発明によって提供される各製品／人の照明ソリューションのために用いられ、中央コンピュータ１０のうちの１つ以上と、照明システム１２のうちの１つ以上とが、本発明によって提供される各製品／人の照明ソリューションのために用いられ得る。１つ以上の製品タグ２０が用いられる場合、製品データ情報２２の或る実施例は、製品及びそのパッケージングを記述した情報、並びに製品の特定の照明方法を記述した情報を含む。１人以上の人のタグ３０が用いられる場合、個人データ情報３２の或る実施例は、タグに関連した個人の様々な特性を記述した情報、及びタグに関連した個人の身体的特性に合わせて作られている製品の特定の照明方法を記述した情報を含む。１つ以上の買い物リスト４０が用いられる場合、製品購入リスト４２の或る実施例は、買い物リスト４０を持っている人によって購入のために選択される製品のリストを含む。 
【０００８】
図２乃至６は、本発明によって提供される様々な製品／人の照明ソリューションを例示的に図示している。図２乃至６に図示されているような様々な構成要素１０、１１、１２、２０、３０及び４０の実際の構造上の構成は、実際には、本発明の具体的な実施態様に依存し、それ故、本願明細書では示さない。それでもなお、図２乃至６の説明から、当業者には、図２乃至６に図示されている製品／人の照明ソリューションの実施において、構成要素１０、１１、１２、２０、３０及び４０を構造的に構成するために従来の技術に対して必要とされ得るあらゆる修正が分かるであろう。
【０００９】
図２及び３は、同様の他の製品及び異なる他の製品と一緒に棚に保管される製品パッケージへの製品タグ２０の取り付けを図示している。製品の照明ソリューションの或るセットの場合、中央コンピュータ１０、読取装置／受信装置１１及び／又は集積回路２１は、図２に図示されている製品の所望の照明を得るための製品タグ２０上の製品データ情報２２の読み取りを含むステージＳ５２と、製品データ情報２２に基づいて製品を照明するための照明システム１２及び／又はＬＥＤ２３の制御を含むステージＳ５４とを有するフローチャート５０（図４）を実施する。  
【００１０】
フローチャート５０の或る実施例においては、製品データ情報２２は、カラースペクトル(color spectrum)の中のどの色が製品を最も良く照明するのかを示し、それにより、フローチャート５０の実施は、示された色に基づいて、照明システム１２及び／又はＬＥＤ２３によって製品を照明する。ＲＧＢをベースとした照明システム１２及び／又はＲＧＢをベースとしたＬＥＤ２３の場合、幅広いカラースペクトルを達成するために、当業者は思い付くであろうような、長さ当たりの区画の区別の目安となるアドレス指定方式(per length section differential addressing scheme)が利用され得る。当業者には、例えば、照明システム１２及びＬＥＤ２３を動的に調節して、様々な製品を可能な限り最良の色の光で照明することが出来るなどといった、この実施例の数多くの利点が分かるであろう。 
【００１１】
フローチャート５０の第２の実施例においては、製品データ情報２２は、製品の陳列期間を示し、それにより、フローチャート５０の実施は、製品の陳列期間の満了時に、照明システム１２及び／又はＬＥＤ２３によって、光の明滅又は色の変更を介して、製品を照明する。製品の陳列期間のこの視覚的表示は、消費者が、製品を購入するかどうかについて、十分な情報を得た上で決定することを可能にし、店主が、陳列から製品を適時に取り除くことを可能にする。 
【００１２】
フローチャート５０の第３の実施例においては、製品データ情報２２は、製品が販促用プログラムなどによって提供されているのかどうかを示し、それにより、フローチャート５０の実施は、照明システム１２及び／又はＬＥＤ２３によって、販売促進されている各製品を、強調表示色（例えば青色）で照明する一方、他の製品は白色光で照明される。販促製品のこの視覚的表示は、消費者が、販促用プログラムに属する製品と、販促用プログラムに入っていない製品とを見分けることを可能にする。
【００１３】
製品の照明ソリューションの第２のセットの場合、中央コンピュータ１０、読取装置／受信装置１１及び集積回路２１は、製品の現在の価格設定情報の取得を含むステージＳ６２と、現在の価格設定情報に基づく製品データ情報２２の更新を含むステージＳ６４とを有するフローチャート６０（図５）を実施する。
【００１４】
製品の照明ソリューションの第３のセットの場合、中央コンピュータ１０、読取装置／受信装置１１及び集積回路２０は、図８に例示的に図示されているように、製品購入リスト４２の読み取りを含むステージＳ７２と、製品購入リスト４２上にリストアップされている１つ以上の製品を、リストアップされている製品の領域内に買い物リスト４０がある場合はいつでも、照明するための照明システム１２及び／又はＬＥＤ２３の制御を含むステージＳ７４とを有するフローチャート７０（図６）を実施する。
【００１５】
個人用照明ソリューションのセットの場合、中央コンピュータ１０、読取装置／受信装置１１及び集積回路２０は、図９に例示的に図示されているように、個人データ情報３２の読み取りを含むステージＳ８２と、１つ以上の製品を、個人データ情報３２に基づいて、リストアップされている製品の領域内にパーソナルタグ３０がある場合はいつでも、照明するための照明システム１２及び／又はＬＥＤ２３の制御を含むステージＳ８４とを有するフローチャート８０（図７）を実施する。個人データ情報３２は、個人の身体能力を示す情報であって、それにより、製品の照明の照明レベルをカスタマイズするための情報、及び／又は個人にとって関心のある１つ以上の製品を示す情報であって、それにより、該個人のためにこのような製品を照明する情報を含むことが出来る。従って、例えば、図９に図示されているような自動車９０は、或る年齢より下の人々のための該人々の個人データ情報３２によって指示される自動車９０の照明とは対照的に、その或る年齢より上の人々のためには、該人々の個人データ情報３２によって指示されるより明るい照明をなされるかもしれない。また、一例として、自動車９０は、パーソナルタグ３０の所持者によって好まれるような特定の照明色を持ち得る。
【００１６】
現在、本願明細書において開示されている本発明の実施例が、好ましいと考えられるが、本発明の範囲及び趣旨から外れない様々な変形例及び修正例が作成され得る。本発明の範囲は、添付されている特許請求の範囲に示されており、同等物の範囲及び意味に入る全ての変形例は、本発明の範囲に含まれるよう意図されている。
【図面の簡単な説明】
【００１７】
【図１】本発明による無線システムの実施例を図示する。
【図２】本発明に従った製品タグの製品への取り付けの例を図示する。
【図３】本発明の製品タグに応じた製品の照明の例を図示する。
【図４】本発明による製品照明方法を表わすフローチャートを図示する。
【図５】本発明による製品価格設定更新方法を表わすフローチャートを図示する。
【図６】本発明による買い物リスト照明方法を表わすフローチャートを図示する。
【図７】本発明による個人用照明方法を表わすフローチャートを図示する。
【図８】本発明の買い物リストに応じた製品の照明の例を図示する。
【図９】本発明のパーソナルタグに応じた製品の照明の例を図示する。
【図１】
2008521452.tif 000003
【図２】
2008521452.tif 000004
【図３】
2008521452.tif 000005
【図４】
2008521452.tif 000006
【図５】
2008521452.tif 000007
【図６】
2008521452.tif 000008
【図７】
2008521452.tif 000009
【図８】
2008521452.tif 000010
【図９】
2008521452.tif 000011
【国際調査報告】
2008521452.tif 000012
2008521452.tif 000013
2008521452.tif 000014